(57)【特許請求の範囲】
【請求項１】
廃棄物の投入口から排出口にかけて下り傾斜に配置される回転可能な円筒状の回転ドラムの前記投入口側周面に小口径開口部および前記排出口側周面に大口径開口部が前記回転ドラムの回転方向および回転軸方向に所定の間隔をおいて配置され、前記投入口から回転ドラム内に投入される廃棄物を前記回転ドラムの回転により小口径開口部，大口径開口部または排出口から排出させて選別する回転式ごみ選別装置において、
前記回転方向に隣り合う少なくとも２個の大口径開口部同士が回転軸方向の排出口側の端部において連通されていることを特徴とする回転式ごみ選別装置。
【請求項２】
廃棄物の投入口から排出口にかけて下り傾斜に配置される回転可能な円筒状の回転ドラムの前記投入口側周面に小口径開口部および前記排出口側周面に大口径開口部が前記回転ドラムの回転方向および回転軸方向に所定の間隔をおいて配置され、前記投入口から回転ドラム内に投入される廃棄物を前記回転ドラムの回転により小口径開口部，大口径開口部または排出口から排出させて選別する回転式ごみ選別装置において、
前記回転ドラムの外周部であって前記大口径開口部の少なくとも回転方向後側に、前記回転ドラムの径方向外側に向けて突出する長尺物の巻き付き防止のための突出板を設けることを特徴とする回転式ごみ選別装置。
【請求項３】
廃棄物の投入口から排出口にかけて下り傾斜に配置される回転可能な円筒状の回転ドラムの前記投入口側周面に小口径開口部および前記排出口側周面に大口径開口部が前記回転ドラムの回転方向および回転軸方向に所定の間隔をおいて配置され、前記投入口から回転ドラム内に投入される廃棄物を前記回転ドラムの回転により小口径開口部，大口径開口部または排出口から排出させて選別する回転式ごみ選別装置において、
前記回転ドラムの外周部であって前記大口径開口部の少なくとも回転方向後側に、前記回転ドラムの径方向外側に向けて突出する長尺物の巻き付き防止のための突出板を設け、かつ前記回転方向に隣り合う少なくとも２個の大口径開口部同士が回転軸方向の排出口側の端部において連通されていることを特徴とする回転式ごみ選別装置。
【請求項４】
前記突出板は、先端側が回転方向の反対側に向けて折り曲げられている請求項２または３に記載の回転式ごみ選別装置。
【発明の詳細な説明】
【０００１】
【発明の属する技術分野】
本発明は、廃棄物をその大きさにより不燃物・中径物・可燃物に選別する回転式ごみ選別機に関するものである。
【０００２】
【従来の技術】
従来、廃棄物をその大きさにより不燃物，可燃物等に選別する選別機として、図８にその外観図が示されるような、回転式ごみ選別機が用いられている。この回転式ごみ選別機１００においては、円筒形の回転ドラム１０１が廃棄物の投入口１０２から排出口１０３に向けて下り傾斜となるように回転自在に架台１０４上に支持され、この回転ドラム１０１の外周がケーシング１０５により覆われている。この回転ドラム１０１は、リングライナーおよびそのリングライナーに投入口１０２から排出口１０３に向けて順に取り付けられる１段目ふるい網および２段目ふるい網により構成されている。
【０００３】
前記１段目ふるい網および２段目ふるい網の下部には、それぞれ１段目排出シュート１０６および２段目排出シュート１０７が設けられており、前記排出口１０３の下流側に３段目排出シュート１０８が設けられている。また、前記架台１０４の上方で、かつ投入口１０２の下方には、前記回転ドラム１０１を回転させる電動モータ１０９が設けられている。
【０００４】
前記１段目ふるい網には、図９（ａ）にその拡大部分平面図が示されるように、通常直径約５０ｍｍφの小口径開口部１１０が千鳥目状に設けられるとともに、前記２段目ふるい網には、図９（ｂ）にその平面図が示されるように、通常長辺約２５０ｍｍ，短辺約１００ｍｍの長方形状の大口径開口部１１１が碁盤目状に設けられている。
【０００５】
このように構成される回転式ごみ選別機１００は、前記回転ドラム１０１の傾きにより、投入口１０２から回転ドラム１０１内に投入された廃棄物がが回転ドラム１０１の回転に伴って１段目ふるい網上を排出口１０３に向けて前進する。それら廃棄物が前記１段目ふるい網を通過する際に、廃棄物中の５０ｍｍφのもの（主として土砂やガラス片等の不燃物）が前記小口径開口部１１０内に取り込まれ前記１段目排出シュート１０６に落下して、回収される。
【０００６】
次いで、前記小口径開口部１１０より１段目排出シュート１０６へ落下されずに、１段目ふるい網上を通過した廃棄物は、そのまま前進して２段目ふるい網上を排出口１０３へ向けて前進する。この間に、廃棄物中の長さ約２５０ｍｍ巾約１００ｍｍ以下のもの（主としてスチール缶やアルミニウム缶等の中径物）が大口径開口部１１１内に取り込まれ前記２段目排出シュート１０７に落下して、回収される。
【０００７】
その後、前記小口径開口部１１０および大口径開口部１１１より前記各排出シュート１０６，１０７に回収されなかった廃棄物（主として可燃物）は、前記回転ドラム１０１後端部の排出口１０３より３段目排出シュート１０８に回収される。こうして回転ドラム１０１内に投入された廃棄物は、その大きさにより不燃物・中径物・可燃物に選別されながら、各排出シュート１０６，１０７，１０８に回収される。
【０００８】
【発明が解決しようとする課題】
しかしながら、前記回転式ごみ選別機１００においては、回転ドラム１０１内に投入される廃棄物のなかに長尺物や針金、ビニールテープ等の性状・形状の不特定なものが多く含まれており、これら長尺物等がふるい網上に設けられる開口部のうちの特に大口径開口部１１１に非常に引っ掛かり易く、その開口部に閉塞が頻繁に発生するという問題点がある。このため、選別純度が低下するとともに、毎日の装置内部清掃作業が必要となる等の問題点がある。
【０００９】
本発明は、このような問題点を解消するためになされたもので、選別する廃棄物による開口部の閉塞を防止し、選別精度の向上およびプラント稼働率の向上を図るとともに、清掃頻度の低減を図ることができる回転式ごみ選別機を提供することを目的とするものである。
【００１０】
【課題を解決するための手段および作用・効果】
前述された目的を達成するために、第１発明による回転式ごみ選別機は、廃棄物の投入口から排出口にかけて下り傾斜に配置される回転可能な円筒状の回転ドラムの前記投入口側周面に小口径開口部および前記排出口側周面に大口径開口部が前記回転ドラムの回転方向および回転軸方向に所定の間隔をおいて配置され、前記投入口から回転ドラム内に投入される廃棄物を前記回転ドラムの回転により小口径開口部，大口径開口部または排出口から排出させて選別する回転式ごみ選別装置において、
前記回転方向に隣り合う少なくとも２個の大口径開口部同士が回転軸方向の排出口側の端部において連通されていることを特徴とするものである。
【００１１】
第１発明においては、投入口から回転ドラム内に投入された廃棄物がその回転ドラムの回転により攪拌されつつ排出口側へ移動され、この間に小口径開口部の大きさより小さい廃棄物（主に、不燃物）がその小口径開口部内に取り込まれて回収され、続いて大口径開口部の大きさより小さい廃棄物（主に、スチール缶やアルミニウム缶等の中径物）がその大口径開口部内に取り込まれて回収される。前記小口径開口部および大口径開口部内に取り込まれず回転ドラム内を移動する廃棄物（主に、可燃物）は、前記排出口から外部に回収される。こうして回転ドラム内に投入された廃棄物が、不燃物・中径物・可燃物に選別される。
【００１２】
第１発明においては、前記回転ドラム内に投入された廃棄物に例えば長尺物や針金等の性状・形状の不安定なものが含まれており、これら長尺物等が前記大口径開口部に引っ掛かる場合がある。この引っ掛かった長尺物等は前記回転ドラムの回転により、回転方向に隣り合う大口径開口部間に巻き付いてしまう。この大口径開口部間に巻き付いた長尺物等は、前記回転ドラム内を排出口側に移動する廃棄物とともに移動し、その大口径開口部の回転軸方向の排出口側端部すなわち大口径開口部同士の連結部から取り外される。こうして取り外された長尺物等は、大口径開口部内に取り込まれて回収もしくは回転ドラム内に戻される。
【００１３】
第１発明によれば、大口径開口部の閉塞の要因である突出部材に巻き付いた長尺物等が選別作業を停止させることなく取り除かれるため、廃棄物の選別精度およびプラントの稼働率の向上を図ることができるとともに、清掃頻度の低減を図ることができるという効果を奏する。
【００１４】
次に、第２発明による回転式ごみ選別機は、廃棄物の投入口から排出口にかけて下り傾斜に配置される回転可能な円筒状の回転ドラムの前記投入口側周面に小口径開口部および前記排出口側周面に大口径開口部が前記回転ドラムの回転方向および回転軸方向に所定の間隔をおいて配置され、前記投入口から回転ドラム内に投入される廃棄物を前記回転ドラムの回転により小口径開口部，大口径開口部または排出口から排出させて選別する回転式ごみ選別装置において、
前記回転ドラムの外周部であって前記大口径開口部の少なくとも回転方向後側に、前記回転ドラムの径方向外側に向けて突出する長尺物の巻き付き防止のための突出板を設けることを特徴とするものである。
【００１５】
第２発明においては、第１発明と同様にして回転ドラム内に投入された廃棄物が不燃物・中径物・可燃物に選別される。前記中径物を選別する大口径開口部に廃棄物内に含まれる例えば長尺物や針金等の性状・形状の不安定なものが引っ掛かる場合がある。この引っ掛かった長尺物等は、前記回転ドラムの回転により回転方向に隣り合う大口径開口部間に巻き付こうとするが、回転ドラムの径方向外側に向けて設けられている突出板によりその巻き付きが阻止され、大口径開口部内に取り込まれて回転ドラム内から排出されるもしくは再び回転ドラム内に戻される。
【００１６】
第２発明によれば、前記大口径開口部に引っ掛かった長尺物等が大口径開口部間に巻き付くのが阻止されるため、これら大口径開口部の閉塞が防止され、廃棄物の選別精度およびプラントの稼働率の向上を図ることができるとともに、清掃頻度の低減を図ることができるという効果を奏する。
【００１７】
続いて、第３発明に係る回転式ごみ選別装置は、廃棄物の投入口から排出口にかけて下り傾斜に配置される回転可能な円筒状の回転ドラムの前記投入口側周面に小口径開口部および前記排出口側周面に大口径開口部が前記回転ドラムの回転方向および回転軸方向に所定の間隔をおいて配置され、前記投入口から回転ドラム内に投入される廃棄物を前記回転ドラムの回転により小口径開口部，大口径開口部または排出口から排出させて選別する回転式ごみ選別装置において、
前記回転ドラムの外周部であって前記大口径開口部の少なくとも回転方向後側に、前記回転ドラムの径方向外側に向けて突出する長尺物の巻き付き防止のための突出板を設け、かつ前記回転方向に隣り合う少なくとも２個の大口径開口部同士が回転軸方向の排出口側の端部において連通されていることを特徴とするものである。
【００１８】
第３発明においては、第１発明および第２発明と同様に、前記中径物を選別する大口径開口部に廃棄物内に含まれる例えば長尺物や針金等の性状・形状の不安定なものが引っ掛かる場合があり、この場合前記引っ掛かった長尺物等が前記回転ドラムの回転により回転方向に隣り合う大口径開口部間に巻き付こうとするが回転ドラムの径方向外側に向けて設けられている突出板によりその巻き付きが阻止される。また、前記長尺物が大口径開口部間に巻き付いた場合であっても、その巻き付いた長尺物等は前記回転ドラム内を排出口側に移動する廃棄物とともに移動し、その大口径開口部の回転軸方向の排出口側端部すなわち大口径開口部同士の連結部から取り外される。こうして取り外された長尺物等は、大口径開口部内に取り込まれて回収もしくは回転ドラム内に戻される。
【００１９】
第３発明によれば、前記大口径開口部に引っ掛かった長尺物等が大口径開口部間または突出部材に巻き付くのが阻止されるとともに、この突出部材に長尺物等が巻き付いた場合であっても選別作業を停止させることなく取り除くことができる。したがって、より確実に大口径開口部の閉塞が防止され、廃棄物の選別精度およびプラントの稼働率の向上を図ることができるとともに、清掃頻度の低減を図ることができるという効果を奏する。
【００２０】
前記第２発明または第３発明において、前記突出板は、先端側が回転方向の反対側に向けて折り曲げられているのが好ましい。こうすることにより廃棄物を突出板にガイドさせて確実に落下させることができる。
【００２１】
【発明の実施の形態】
次に、本発明による回転式ごみ選別機の具体的な実施の形態につき、図面を参照しつつ説明する。
【００２２】
図１には、本発明の第１実施例に係る回転式ごみ選別機１の内部構造図が示されている。
【００２３】
第１実施例の回転式ごみ選別機１は、円筒状の回転ドラム２の両側に廃棄物の投入口３および排出口４がそれぞれ設けられており、前記回転ドラム２はこの投入口３から排出口４に向けて下り傾斜となるように架台２２上に回転自在に支持されている。前記回転ドラム２の投入口３側端部下部には、スラストローラ５および電動機直結サイクロ減速機６が設けられ、前記投入口３側端部に取り付けられているチェーン７を回転駆動するようにされている。また、前記回転ドラム２の排出口４側端部下部にはラジアルローラ８が設けられている。なお、この回転式ごみ選別機１の外観図は、図８に示される従来の回転式ごみ選別機の外観図と基本的に異なるところはない。
【００２４】
前記回転ドラム２は、投入口側リング９，中間リング１０および排出口側リング１１より構成されており、この投入口側リング９に投入口側リングライナー１２、中間リング１０に前記投入口３側から排出口４側に向けて順に１段目ふるい網１３および２段目ふるい網１４、排出口側リング１１に排出口側リングライナー１５がそれぞれ設けられている。
【００２５】
前記１段目ふるい網１３および２段目ふるい網１４の下部にはそれぞれ１段目排出シュート１６および２段目排出シュート１７が設けられており、前記排出口４の下流側には３段目排出シュート１８が設けられている。また、前記回転ドラム２外周略上半部および前記１段目排出シュート１６および２段目排出シュート１７上部がケーシング１９により覆われている。
【００２６】
前記１段目ふるい網１３は、従来と同様に直径約５０ｍｍの小口径開口部（図９（ａ）参照）が千鳥目状に設けられるとともに、内周に沿って中心側へ突出するように複数の攪拌板２０が設けられている。
【００２７】
前記２段目ふるい網１４には、図２（ａ）にその平面図が示されるように、略コ字形状の大口径開口部２１が前記回転ドラム２の回転方向および回転軸方向に所定の間隔をおいて設けられるとともに、内周に沿って中心側へ突出するように複数の前記攪拌板２０（図１参照）が設けられている。前記大口径開口部２１は、回転方向に隣り合う２つの開口部２１ａ，２１ａが排出口４側で連結されて形成されている。言い換えれば、連結された開口部２１ａ，２１ａの投入口３側一辺中央部に排出口４側へ突出する長方形状の突出部材２１ｂが本体に一体に設けられている。
【００２８】
第１実施例においては、前記１段目ふるい網１３および２段目ふるい網１４を回転方向に８枚連結させて前記中間リング１０に取り付けられており（図３参照）、回転軸方向には５列の１段目ふるい網１３が、２列の２段目ふるい網１４ａ，１４ｂがそれぞれ連結されている。前記２列の２段目ふるい網１４ａ，１４ｂは、それぞれに設けられる開口部２１ａの大きさが異なるようにされており、投入口３側の２段目ふるい網１４ａには長辺約２５０ｍｍ巾約１００ｍｍの開口部２１ａが設けられており、排出口４側の２段目ふるい網１４ｂには長辺約３３０ｍｍ巾１００ｍｍの開口部２１ａが設けられている。なお、図３は、図１のＡ−Ａ線断面図である。
【００２９】
また、前記１段目ふるい網１３および２段目ふるい網１４の内周に沿って取り付けられる攪拌板２０は、前記排出口側リングライナー１５にも設けられている。前記攪拌板２０は、図４にその側面図が示されるように、前記１段目ふるい網１３等に固定される基部２０ａとその基部２０ａにボルト２０ｂにより取り付けられる高さ調整可能な翼部２０ｃとにより構成されている。この攪拌板２０は、回転ドラム２内に投入される廃棄物の性状等により、その高さが調整される。
【００３０】
このように構成される回転式ごみ選別機１においては、投入口３から回転ドラム２内に投入された廃棄物が前記回転ドラム２の傾きにより排出口４側へ移動する。前記スラストローラ５およびラジアルローラ８により架台２２上に支持されている回転ドラム２は、電動機直結サイクロ減速機６によりチェーン７に回転駆動力が付与されて回転されており、前記廃棄物は攪拌板２０により攪拌されながら１段目ふるい網１３上を移動する。この間に前記廃棄物に含有される１段目ふるい網１３の小口径開口部より小さい廃棄物（主に、不燃物）がその小口径開口部に取り込まれて落下し、前記１段目ふるい網１３下部に設けられる１段目排出シュート１６に回収される。
【００３１】
次いで、前記１段目ふるい網１３上を通過した廃棄物は、前記攪拌板２０により攪拌されながら順に２段目ふるい網１４ａ，１４ｂ上を移動する。前記投入口３側の２段目ふるい網１４ａ上を移動する間に、前記廃棄物のうち長辺約２５０ｍｍ巾約１００ｍｍ以下の廃棄物（主に、鉄缶，アルミ缶等の中径物）が大口径開口部２１内に取り込まれて落下し、前記２段目ふるい網１４下部に設けられる２段目排出シュート１７に回収される。続いて、前記２段目ふるい網１４ａ上を通過した廃棄物が２段目ふるい網１４ｂ上を移動する間に、前記廃棄物のうち長辺約３３０ｍｍ巾約１００ｍｍ以下の廃棄物（主に、スチール缶やアルミニウム缶等の中径物）が大口径開口部２１内に取り込まれて落下し、前記２段目排出シュート１７に回収される。
【００３２】
前記１段目ふるい網１３上および２段目ふるい網１４上を通過した廃棄物（主に、可燃物）は、排出口４から３段目排出シュート１８に回収される。こうして回転ドラム２内に投入された廃棄物は、不燃物，スチール缶やアルミニウム缶等の中径物および可燃物に選別されながらそれぞれ１段目排出シュート１６，２段目排出シュート１７および３段目排出シュート１８に回収される。
【００３３】
ところで、通常前記回転ドラム２内に投入される廃棄物内に例えばビニールテープ，針金または長尺物等の性状・形状が不安定なものが含有されており、これら長尺物等は２段目ふるい網１４の大口径開口部２１上を通過する際に引っ掛かる場合がある。この場合、回転ドラム２が回転されることにより、前記大口径開口部２１に引っ掛かった状態の長尺物等が前記突出部材２１ｂまたは回転方向に隣り合う大口径開口部２１間に巻き付く。こうして前記突出部材２１ｂに巻き付いた長尺物等は、前記２段目ふるい網１４上を排出口４方向に向けて通過する廃棄物とともに排出口４方向に移動し、前記突出部材２１ｂの先端部（開口部２１ａ，２１ａの連結部）から離脱する。こうして前記長尺物等は大口径開口部２１内を経て２段目排出シュート１７もしくは回転ドラム２内に回収される。
【００３４】
第１実施例によれば、突出部材２１ｂに巻き付いた長尺物等を取り除くことができるため、従来の問題点である開口部の閉塞を防止でき、廃棄物の選別精度の向上およびプラントの稼働率の向上を図ることができるとともに，清掃頻度の低減を図ることができるという効果を奏する。なお、前記小口径開口部はその径が小さいため前記長尺物等の引っ掛かりが生じる確率は非常に低く、閉塞による不具合はほとんど見られない。
【００３５】
また、第１実施例においては、大口径開口部が回転方向に隣り合う２つの開口部２１ａ，２１ａを連結させ、この連結された開口部２１ａ，２１ａの投入口３側一辺中間部に排出口４側へ向けて突出する長方形状の突出部材２１ｂが一体に設けられる形状とされているが、これに限らず、大口径開口部が回転方向に隣り合う３，４，５・・個の開口部を連結させ、この連結された開口部の投入口側一辺に２，３，４…個の突出部材を一定間隔で設ける形状であってもよい。
【００３６】
第１実施例においては、連結された開口部２１ａ，２１ａの投入口３側一辺に長方形状の突出部材２１ｂが一体に取り付けられているが、これに限らず、例えば図２（ｂ）に第１実施例の変形例に係る１段目ふるい網１４′の平面図が示されるように連結された開口部２１ａ′，２１ａ′の投入口３側一辺に略三角形状の突出部材２１ｂ′が一体に取り付けられていてもよい。この突出部材２１ｂ′は、その巾が廃棄物移動方向に徐々に狭くされているため、巻き付いた長尺物等が離れ易く、より閉塞を防止することができる効果を奏する。
【００３７】
次に、第２実施例の回転式ごみ選別機は、全体構造が前記第１実施例と略同様の構造であるが、図５（ａ）（ｂ）に２段目ふるい網３０の平面図および側面図がそれぞれ示されるように、この２段目ふるい網３０に略長方形の大口径開口部３１が設けられるとともに、２段目ふるい網３０外周面の回転軸方向に沿って径方向外側へ突出するように突出板３２が設けられている点で相違する。以下、前記第１実施例と同様の構成については同一符号を用いて説明する。
【００３８】
前記突出板３２は、その基部３２ａが前記大口径開口部３１の回転方向後側一辺３１ａに沿うように取り付けられており、図５（ｃ）に突出板３２の拡大側面図が示されるように、その中央部よりやや先端側３２ｂから回転方向の反対側に反るように折り曲げられている。
【００３９】
前記２段目ふるい網３０は、前記第１実施例と同様に、回転方向に８枚，回転軸方向に２列連結されている。前記投入口３側の２段目ふるい網３０の大口径開口部３１は長辺約２５０ｍｍ巾約１００ｍｍの長方形状とされ、排出口４側の２段目ふるい網３０の大口径開口部３１は長辺約３３０ｍｍ巾約１００ｍｍの長方形状とされている。
【００４０】
第２実施例においては、投入口３より回転ドラム２内に投入され、１段目ふるい網１３上を通過して２段目ふるい網３０上を通過する廃棄物のうち、前記大口径開口部３１の大きさ以下のもの（主に、中径物）は、その大口径開口部３１内に取り込まれて２段目排出シュート１７に回収される。
【００４１】
前記廃棄物が大口径開口部３１内に取り込まれる際に、前記廃棄物に含有される例えばビニールテープ，針金または長尺物等の性状・形状が不安定なものが大口径開口部３１に引っ掛かる場合がある。この引っ掛かった長尺物等は回転ドラム２の回転により回転方向に隣接する大口径開口部３１間に巻き付こうとするが、前記突出板３２によりその巻き付きが阻止されるため、前記長尺物等は再び回転ドラム２内もしくは２段目排出シュート１７に回収される。
【００４２】
前記突出板３２は、その先端側が回転方向の反対側に反るように形成されているため、大口径開口部３１を経て２段目排出シュート１７に回収される廃棄物はその突出板３２にガイドされて落下する。
【００４３】
第２実施例によれば、性状・形状の不安定な長尺物等が回転方向に隣接する大口径開口部３１間に巻き付くのが阻止されるため、その大口径開口部３１の閉塞を防止することができ、投入された廃棄物の選別純度の維持，清掃頻度の低減およびプラントの稼働率の向上を図ることができるという効果を奏する。
【００４４】
第２実施例においては、突出板３２が大口径開口部３１の回転方向後側一辺３１ａに沿うように、かつ２段目ふるい網３０外周面の回転軸方向に沿って径方向外側へ突出するように設けられているが、これに限らず、大口径開口部３１の回転方向前側一辺または回転方向両側２辺または大口径開口部周囲に取り付けられていてもよい。
【００４５】
また、第２実施例の変形例の２段目ふるい網３０′の平面図およびＢ−Ｂ線断面図が図６（ａ）（ｂ）に示されるように、前記２段目ふるい網３０′に前記突出板長さと略同程度の厚みを持たせて前記大口径開口部３１′を構成してもよい。こうすることにより、前記２段目ふるい網３０′の厚みにより大口径開口部３１′周囲に側壁３２′が形成され、この側壁３２′が前記突出板と同様の役割を果たし、第２実施例と同様の作用効果を得ることができる。
【００４６】
第２実施例においては、突出板が先端側中央部で屈曲する形状とされているが、これに限らず、直線形状であってもよい。
【００４７】
続いて、第３実施例の回転式ごみ選別機は、前記第１実施例と略同様の構造であり、図７（ａ）（ｂ）に２段目ふるい網３５の平面図および側面図がそれぞれ示されるように、２段目ふるい網３５外周の回転軸方向に沿って径方向外側へ突出するように突出板３６が設けられている点で相違する。
【００４８】
前記突出板３６は、第２実施例の突出板と同様の形状とされており、前記大口径開口部２１の回転方向後側一辺２１ｃおよび突出部材２１ｂの回転方向前側一辺２１ｄに沿うように取り付けられている。なお、前記突出部材２１ｂの回転方向前側一辺２１ｄに取り付けられる突出板３６の一部は、大口径開口部２１に掛からないように切り欠かれている。
【００４９】
第３実施例によれば、第１実施例および第２実施例の各効果を加算した効果、すなわち長尺物等の巻き付きを防止するとともに、巻き付いた長尺物等を取り除くことができるため、より確実に大口径開口部２１の閉塞が防止され、投入された廃棄物の選別純度の維持，清掃頻度の低減およびプラントの稼働率の向上を図ることができるという効果を奏する。
【００５０】
また、第３実施例においては、大口径開口部の形状を第１実施例の変形例と同様にすることができ、また第２実施例の変形例と同様に突出板を設ける代わりに２段目ふるい網の肉厚を厚くすることができる。
【００５１】
前記各実施例においては、投入口３側の２段目ふるい網１４ａの開口部２１ａの大きさと排出口４側の２段目ふるい網１４ｂの開口部２１ａの大きさが異なるようにされているが、それら開口部の大きさは同じであってもよい。また、開口部の大きさは回収される廃棄物の大きさにより任意に設定でき、上記数値に限定されるものではない。
【図面の簡単な説明】
【図１】図１は、本発明の第１実施例に係る回転式ごみ選別機１の内部構造図である。
【図２】図２は、第１実施例の２段目ふるい網の平面図（ａ）および第１実施例の変形例の段目ふるい網の平面図（ｂ）である。
【図３】図３は、図１のＡ−Ａ線断面図である。
【図４】図４は、第１実施例の攪拌板の側面図である。
【図５】図５は、第２実施例の２段目ふるい網の平面図（ａ），側面図（ｂ）および突出板の拡大側面図（ｃ）である。
【図６】図６は、第２実施例の変形例の２段目ふるい網の平面図（ａ）およびＢ−Ｂ線断面図（ｃ）である。
【図７】図７は、第３実施例の２段目ふるい網の平面図（ａ）および側面図（ｂ）である。
【図８】図８は、従来の回転式ごみ選別機の外観図である。
【図９】図９は、従来の回転式込み選別機の小口径開口部拡大平面図（ａ）および２段目ふるい網の平面図である。
【符号の説明】
１  回転式ごみ選別機
２  回転ドラム
３  投入口
４  排出口
５  スラストローラ
６  電動機直結サイクロ減速機
７  チェーン
８  ラジアルローラ
９  投入口側リング
１０  中間リング
１１  排出口側リング
１２  投入口側リングライナー
１３  １段目ふるい網
１４ａ，３０，３５  ２段目ふるい網
１５  排出口側リングライナー
１６  １段目排出シュート
１７  ２段目排出シュート
１８  ３段目排出シュート
１９  ケーシング
２０  攪拌板
２１，３１，３５  大口径開口部
２１ａ  開口部
２１ｂ  突出部材
２２  架台
３２，３６  突出板（巻き付き防止手段）
【図１】
0003662417.tif 000002
【図２】
0003662417.tif 000003
【図３】
0003662417.tif 000004
【図４】
0003662417.tif 000005
【図５】
0003662417.tif 000006
【図６】
0003662417.tif 000007
【図７】
0003662417.tif 000008
【図８】
0003662417.tif 000009
【図９】
0003662417.tif 000010